(57)【要約】【課題】本考案は、遠赤外線、マイナスイオン、磁気、更にはミネラルの個々の作用を総合的に集約して、野菜類、鑑賞植物類、ハーブ、花類等の各種植物の早期成長、成長促進、生命維持を長期間に亙って維持できる植物育成用容器を提供する。【解決手段】本考案の植物育成用容器は、上部が開口し、内部に収容空間３を備え、底部に水抜き用の穴２ｂを設けるとともに、マイナスイオン発生物質、遠赤外線放射物質、磁気発生物質を混在又は含浸させた容器本体２と、前記容器本体２内に積層した総合ミネラルである医王石１１と、培養土１２、１７と、遠赤外線セラミックを芯材としマイナスイオン発生物質及び磁気発生物質の混合物を被覆して形成した球状物１５と、遠赤外線を放射するイオンセラミック１６と、培養土１７とからなる多層積層物１８とを有するものである。【選択図】図２
0003097540.tif 000002
【実用新案登録請求の範囲】
【請求項１】
上部が開口し、内部に収容空間を備え、底部に水抜き用の穴を設けるとともに、マイナスイオン発生物質、遠赤外線放射物質、磁気発生物質を混在又は含浸させた容器本体と、
前記容器本体内に積層した総合ミネラルである医王石と、培養土と、遠赤外線セラミックを芯材としマイナスイオン発生物質及び磁気発生物質の混合物を被覆して形成した球状物と、遠赤外線を放射するイオンセラミックと、培養土とからなる多層積層物と、
を有することを特徴とする植物育成用容器。
【請求項２】
上部が開口し、内部に収容空間を備え、底部に水抜き用の穴を設けるとともに、マイナスイオン発生物質、遠赤外線放射物質、磁気発生物質を混在又は含浸させた容器本体と、
前記容器本体の開口を閉塞する蓋体と容器本体を載せる底皿とを兼ねる皿状体と、
前記容器本体内に積層した総合ミネラルである医王石と、培養土と、遠赤外線セラミックを芯材としマイナスイオン発生物質及び磁気発生物質の混合物を被覆して形成した球状物と、遠赤外線を放射するイオンセラミックと、培養土とからなる多層積層物と、
を有することを特徴とする植物育成用容器。
【請求項３】
上部が開口し、内部に収容空間を備え、底部に水抜き用の穴を設けるとともに、マイナスイオン発生物質、遠赤外線放射物質、磁気発生物質を混在又は含浸させた容器本体と、
前記水抜き用の穴を剥離可能に封止した封止材と、
前記容器本体内に積層した総合ミネラルである医王石と、培養土と、遠赤外線セラミックを芯材としマイナスイオン発生物質及び磁気発生物質の混合物を被覆して形成した球状物と、遠赤外線を放射するイオンセラミックと、培養土とからなる多層積層物と、
を有することを特徴とする植物育成用容器。
【請求項４】
上部が開口し、内部に収容空間を備え、底部に水抜き用の穴を設けるとともに、マイナスイオン発生物質、遠赤外線放射物質、磁気発生物質を混在又は含浸させた容器本体と、
前記水抜き用の穴を剥離可能に封止した封止材と、
前記容器本体の開口を閉塞する蓋体と容器本体を載せる底皿とを兼ねる皿状体と、
前記容器本体内に積層した総合ミネラルである医王石と、培養土と、遠赤外線セラミックを芯材としマイナスイオン発生物質及び磁気発生物質の混合物を被覆して形成した球状物と、遠赤外線を放射するイオンセラミックと、培養土とからなる多層積層物と、
を有することを特徴とする植物育成用容器。
【請求項５】
前記容器本体は樹脂製であることを特徴とする請求項１乃至４のいずれかに記載の植物育成用容器。
【請求項６】
前記容器本体はその外周面に貼り紙又は着色等による装飾部が付されるものであることを特徴とする請求項１乃至５のいずれかに記載の植物育成用容器。
【考案の詳細な説明】
【考案の属する技術分野】
本考案は、野菜類、鑑賞植物類、ハーブ、花類等の各種植物の早期成長、成長促進、生命維持に好適な植物育成用容器に関する。
【従来の技術】
従来、遠赤外線、マイナスイオン、更には磁気の各作用による各種植物の成長促進、生命維持作用等に着目し、遠赤外線放射物質、マイナスイオン発生物質、磁性鉄粉等を、容器に塗布したり、容器自体に含浸させた器具、鉢、瓶等の各種の植物育成用具が提案されている。
例えば、特許文献１には、トリウム等の微量放射性物質、遠赤外線放射物質を接着剤として用いられる水ガラスに混入し、この水ガラスを花瓶等の壁面、底部に塗布して、マイナスイオン、遠赤外線の作用で切り花等の延命化を図った延命化付与具が提案されている。
しかし、この延命化付与具の場合、あくまで花瓶等の容器に補助的に塗布して使用するものであり、植物を種から短期間に育成したり、花等の成長を促進したりという用途に不向きであった。
【特許文献１】
特開２００１−２１１７４９号公報
【考案が解決しようとする課題】
本考案は、上記従来の実情に鑑み開発されたものであり、遠赤外線、マイナスイオン、磁気、更にはミネラルの個々の作用を総合的に集約して、野菜類、鑑賞植物類、ハーブ、花類等の各種植物の早期成長、成長促進、生命維持を長期間に亙って維持できる植物育成用容器を提供することを目的とするものである。
【課題を解決するための手段】
請求項１記載の考案の植物育成用容器は、上部が開口し、内部に収容空間を備え、底部に水抜き用の穴を設けるとともに、マイナスイオン発生物質、遠赤外線放射物質、磁気発生物質を混在又は含浸させた容器本体と、前記容器本体内に積層した総合ミネラルである医王石と、培養土と、遠赤外線セラミックを芯材としマイナスイオン発生物質及び磁気発生物質の混合物を被覆して形成した球状物と、遠赤外線を放射するイオンセラミックと、培養土とからなる多層積層物とを有することを特徴とするものである。
請求項１記載の考案によれば、容器本体に混在又は含浸させたマイナスイオン発生物質からのマイナスイオン、遠赤外線放射物質からの遠赤外線、磁気発生物質からの磁気が混然一体として容器本体内に放射され、更に、多層積層物における医王石からのミネラル成分、球状物からのマイナスイオン、遠赤外線、磁気が各々植物の根、茎等に作用する。この結果、植物の育成、早期成長、成長促進、生命維持を効果的に図ることができる。
請求項２記載の考案の植物育成用容器は、上部が開口し、内部に収容空間を備え、底部に水抜き用の穴を設けるとともに、マイナスイオン発生物質、遠赤外線放射物質、磁気発生物質を混在又は含浸させた容器本体と、前記容器本体の開口を閉塞する蓋体と容器本体を載せる底皿とを兼ねる皿状体と、前記容器本体内に積層した総合ミネラルである医王石と、培養土と、遠赤外線セラミックを芯材としマイナスイオン発生物質及び磁気発生物質の混合物を被覆して形成した球状物と、遠赤外線を放射するイオンセラミックと、培養土とからなる多層積層物とを有することを特徴とするものである。
請求項２記載の考案によれば、請求項１記載の考案の作用に加え、前記蓋体と容器本体を載せる底皿とを兼ねる皿状体とを備えているので、この植物育成用容器の保管時、実際の使用時の便宜を図ることができる。
請求項３記載の考案の植物育成用容器は、上部が開口し、内部に収容空間を備え、底部に水抜き用の穴を設けるとともに、マイナスイオン発生物質、遠赤外線放射物質、磁気発生物質を混在又は含浸させた容器本体と、前記水抜き用の穴を剥離可能に封止した封止材と、前記容器本体内に積層した総合ミネラルである医王石と、培養土と、遠赤外線セラミックを芯材としマイナスイオン発生物質及び磁気発生物質の混合物を被覆して形成した球状物と、遠赤外線を放射するイオンセラミックと、培養土とからなる多層積層物とを有することを特徴とするものである。
請求項４記載の考案の植物育成用容器は、上部が開口し、内部に収容空間を備え、底部に水抜き用の穴を設けるとともに、マイナスイオン発生物質、遠赤外線放射物質、磁気発生物質を混在又は含浸させた容器本体と、前記水抜き用の穴を剥離可能に封止した封止材と、前記容器本体の開口を閉塞する蓋体と容器本体を載せる底皿とを兼ねる皿状体と、前記容器本体内に積層した総合ミネラルである医王石と、培養土と、遠赤外線セラミックを芯材としマイナスイオン発生物質及び磁気発生物質の混合物を被覆して形成した球状物と、遠赤外線を放射するイオンセラミックと、培養土とからなる多層積層物とを有することを特徴とするものである。
請求項３、４記載の考案によれば、請求項１、２記載の考案の作用に加え、容器本体の底部の水抜き用の穴を封止材により閉塞すると、この植物育成用容器を花の育成のための花瓶として機能させることができる。
請求項５記載の考案の植物育成用容器は、請求項１乃至４のいずれかに記載の植物育成用容器において、容器本体は樹脂製であることを特徴とするものである。
請求項５記載の考案によれば、樹脂製の容器本体をもって、上述した請求項１乃至４の考案の作用を発揮できる植物育成用容器を提供することができる。
請求項６記載の考案の植物育成用容器は、請求項１乃至５のいずれかに記載の植物育成用容器において、容器本体はその外周面に貼り紙又は着色等による装飾部が付されるものであることを特徴とするものである
請求項６記載の考案によれば、上述した請求項１乃至５の考案の作用に加えて、色彩豊な従来にない独創的で斬新な植物育成用容器を提供することができる。
【考案の実施の形態】
以下、本考案の実施の形態を添付図面を参照して詳細に説明する。
（実施の形態１）
図１乃至図３を参照して本考案の実施の形態１を説明する。
本実施の形態１に係る植物育成用容器１は、図１、図２に示すように、上部に開口２ａを有し、内部に収容空間３を備え、底部に水抜き用の穴２ｂを設けるとともに、マイナスイオン発生物質、遠赤外線放射物質、磁気発生物質を混在又は含浸させて形成した例えば円形鉢状で樹脂製の容器本体２と、この容器本体２の開口を閉塞する蓋体と容器本体を載せる底皿とを兼ねる例えば円形の皿状体４とを有している。
更に、本実施の形態１に係る植物育成用容器１は、前記水抜き用の穴２ｂを剥離可能に封止した封止材５と、前記容器本体２内に、底側から順に積層した総合ミネラルである大粒の医王石１１と、培養土１２と、小粒の医王石１３と、ラジエコー１４と、遠赤外線セラミックを芯材としマイナスイオン発生物質（イオンティア：商品名）及び磁気発生物質である磁性鉄粉の混合物を被覆して形成した球状物１５と、遠赤外線を放射するイオンセラミック１６と、培養土１７とからなる多層積層物１８とを有している。
上記遠赤外線セラミックを芯材としマイナスイオン発生物質（イオンティア：商品名）及び磁気発生物質である磁性鉄粉の混合物を被覆して形成した球状物１５に代替して、遠赤外線セラミック球体に、液状のマイナスイオン発生物質と磁気発生物質である磁性鉄粉とを攪拌したものを塗布するようにして球体状に形成しても良い。この場合、一層多量のマイナスイオンが発生し、これからから発生する一層多量のマイナスイオンの荷電粒子が大気中で植物等に接し、顕著なマイナスイオンの効果が得られる。
なお、図示する本実施の形態１においては、遠赤外線放射物質であるセラミックス粉末を１０％、総合ミネラルである医王石粉末を１５％、磁性鉄粉を１５％、粉状のプラスチック材等を８０％の割合で混合して前記容器本体２を形成している。また、各材の配合比は、遠赤外線放射物質であるセラミックス粉末を７％、総合ミネラルである医王石粉末を１５％、イオン粉末４％、磁性鉄粉４％、粉状のプラスチック材７０％の割合で混合して前記容器本体２を形成しても良い。
前記球状物１５を形成するマイナスイオン発生物質は、電離、励起作用を有する天然鉱石とアクティブジルコンや遠赤外線効果を有する石等を配合して、更に、ヘテロポリ酸触媒を形成してシリコンに混入して作成したもので、従来における遠赤外線セラミック素材や他のセラミック素材に無いセラミック素材である。
上記セラミック素材は、以下のような特徴を持っている。
すなわち、マイナスイオン発生体から発生するマイナスイオンの荷電粒子が大気中で植物等に接し、マイナスイオンの効果が得られる。総ての個体に有る波長の光を照射すると個体表面から電子が放射され、個体は陽に帯電し、他方気体内にはマイナスイオンが増加する。また、紫外線が気体を通過すると気体をイオン化する。その他気体内で水滴が分裂するとき水滴は陽に、周囲の気体は陰に帯電する。この現象はレナード効果として知られている。この現象は特に滝、急流等で起きる。
また、ラジウム、トリウム等を含有した特定の鉱石にはα波、β波、γ波等の活性エネルギーを発する鉱石が有り、その崩壊物質で気体であるエマナチオンは、大気中に放散する。そして、次々と崩壊物質に代わる間に周辺の空気をイオン化する。
このような鉱石に存在するラジウムエマナチオン、トリウムエマナチオンを生成する無機鉱物を利用したのが本実施の形態１に係るマイナスイオン発生体である。
上記マイナスイオン発生体から放射される電離線が大気中の水蒸気、酸素、窒素等に当たると電荷を持った電子が離れ、残った分子は陽に帯電する。電子は更に他の分子を電離化させるイオン化作用を進行させる。
前記総合ミネラルである医王石は、植物に必要な良質必須微量元素をバランス良く豊富に含有していて、含有している多元素の触蝶用をもって各種植物の茎等の腐敗防止作用等を発揮する。
更に、前記磁性鉄粉の作用による磁気は、各種物質のイオンを磁界作用下においた場合に起電力効果が生じてイオンの活性化を助長する作用等を発揮することから、植物の茎、花等の構成分子の活性化が助長される。
図３は、本実施の形態１に係る植物育成用容器１により、例えば植物の一種である「もやし」２０を育成する状態を示すものである。この場合、皿状体４を容器本体２の受皿として用い、植物育成用容器１の底部の封止材５を剥離して水抜き用の穴２ｂを開放状態にして用いた。
本実施の形態１に係る植物育成用容器１によれば、容器本体２に混在又は含浸させたマイナスイオン発生物質からのマイナスイオン、遠赤外線放射物質からの遠赤外線、磁気発生物質からの磁気が混然一体として容器本体２内に放射され「もやし」２０の根、茎に作用する。
また、多層積層物１８における医王石１１、１３からのミネラル成分、球状物１５からのマイナスイオン、遠赤外線、磁気も、「もやし」２０の根、茎に作用する。
この結果、「もやし」２０の育成、早期成長、成長促進、生命維持を効果的に図ることができる。
本実施の形態１に係る植物育成用容器１と素焼きの鉢とにより、「もやし」２０の育成を行ったところ、本実施の形態１に係る植物育成用容器１の場合においては、「もやし」２０の種を蒔いて１週間で８ｃｍに成長したことが確認できた。これに対して、素焼きの鉢では「もやし」２０の種を蒔いて１週間で１ｃｍ程度の生育であった。
上述のように、本実施の形態１に係る植物育成用容器１によれば、野菜類、鑑賞植物類、ハーブ、花類等の各種植物の成長を顕著に促進し、生命維持を長期間に亙って維持することができる。
上述した植物育成用容器１の使用の場合、多層積層物１８を構成する各材を容器内で攪拌しても良い。
（実施の形態２）
次に、図４、図５を参照して本考案の実施の形態２を説明する。
本実施の形態２に係る植物育成用容器１Ａは、切り花等の生命維持を図る花瓶として機能させるものであり、この植物育成用容器１Ａは、図４、図５に示すように、上部に開口２ａを有し、内部に収容空間３を備え、底部に水抜き用の穴２ｂを設けるとともに、マイナスイオン発生物質、遠赤外線放射物質、磁気発生物質を混在又は含浸させて形成した例えば円形鉢状で樹脂製の容器本体２と、この容器本体２の開口を閉塞する蓋体と容器本体を載せる底皿とを兼ねる例えば円形の皿状体４とを有している。容器２を形成する各材の配合比は前記実施の形態１で説明したと同じである。
更に、本実施の形態２に係る植物育成用容器１Ａは、皿状体４を容器本体２の受皿として用い、植物育成用容器１の底部の封止材５を剥離せずに水抜き用の穴２ｂを閉塞状態にして用いる。
前記容器本体２内には、実施の形態１と同様に、底側から順に積層した総合ミネラルである大粒の医王石１１と、培養土１２と、小粒の医王石１３と、ラジエコー１４と、遠赤外線セラミックを芯材としマイナスイオン発生物質（イオンティア：商品名）及び磁気発生物質である磁性鉄粉の混合物を被覆して形成した球状物１５と、遠赤外線を放射するイオンセラミック１６と、培養土１７とからなる多層積層物１８とを有している。
上記遠赤外線セラミックを芯材としマイナスイオン発生物質（イオンティア：商品名）及び磁気発生物質である磁性鉄粉の混合物を被覆して形成した球状物１５に代替して、遠赤外線セラミック球体に、液状のマイナスイオン発生物質と磁気発生物質である磁性鉄粉とを攪拌したものを塗布するようにして球体状に形成しても良い。この場合、一層多量のマイナスイオンが発生し、これからから発生する一層多量のマイナスイオンの荷電粒子が大気中で植物等に接し、顕著なマイナスイオンの効果が得られる。
図４は、本実施の形態２に係る植物育成用容器１Ａに開花している花３０を刺し、この花３０の生命維持を図る状態を示すものである。
本実施の形態２に係る植物育成用容器１Ａによれば、容器本体２に混在又は含浸させたマイナスイオン発生物質からのマイナスイオン、遠赤外線放射物質からの遠赤外線、磁気発生物質からの磁気が混然一体として容器本体２内に放射されて花３０の茎に作用する。
また、多層積層物１８における医王石１１、１３からのミネラル成分、球状物１５からのマイナスイオン、遠赤外線、磁気も、花３０の茎に作用する。
この結果、花３０の茎、花弁の生命維持を効果的に図ることができる。
本実施の形態２に係る植物育成用容器１と素焼きの鉢とにより、花３０の生命維持状態を実験したところ、本実施の形態２に係る植物育成用容器１の場合、花３０は長期間に亙り開花状態を維持できた。これに対して、素焼きの鉢では花３０は短期間に萎れ、茎は短期間に枯れる現象が見られた。
植物育成用容器１Ａを花瓶として用いる場合、多層積層物１８を構成する各材を容器内から取り出して使用しても良く、また、多層積層物１８を構成する各材を容器内に収納したままで使用しても良い。多層積層物１８を構成する各材を容器内に収納したままで使用する場合、各材を攪拌しても良い。
なお、本実施の形態２に係る植物育成用容器１Ａは、上述した花瓶として用いるのと同様にして、その底部の封止材５を剥離せずに水抜き用の穴２ｂを閉塞状態にして用い、この植物育成用容器１Ａ内に糠（ぬか）を入れて使用すると、これを糠漬け用容器として用いることができる。容器１Ａ内にキュウリ、ナス等を入れて漬けると、約８時間位で旨味を出して漬け上げることができる。
この場合、容器本体２に混在又は含浸させたマイナスイオン発生物質からのマイナスイオン、遠赤外線放射物質からの遠赤外線、磁気発生物質からの磁気が混然一体として容器本体２内に放射されてキュウリ、ナス等に作用する。
また、多層積層物１８における医王石１１、１３からのミネラル成分、球状物１５からのマイナスイオン、遠赤外線、磁気も、キュウリ、ナス等に作用する。
この結果、キュウリ、ナス等に上記各作用が働いて夫々の野菜の旨味を出して漬け上げることができ、また、長期保存も可能となる。
植物育成用容器１Ａを糠漬け用容器として用いる場合、多層積層物１８を構成する各材を容器内から取り出して使用しても良く、また、多層積層物１８を構成する各材を容器内に収納したままで使用しても良い。多層積層物１８を構成する各材を容器内に収納したままで使用する場合、各材を攪拌しても良い。
（実施の形態３）
次に、図６を参照して本考案の実施の形態３を説明する。
図６は本考案の実施の形態３に係る植物育成用容器１Ｂを示すものであり、前記実施の形態１に係る植物育成用容器１の外周面に、装飾的効果を発揮する型紙を元に作成した複数枚の貼り紙４１ａ乃至４１ｄを貼り付けたものである。貼り紙４１ａ乃至４１ｄとしては、例えば、因州和紙を用いる。また、貼り紙４１ａ乃至４１ｄに各々赤、青、黄色などの色彩を付し装飾的効果を高めることができる。
更には、植物育成用容器１Ｂの容器本体２の外周自体に色分け着色、模様付けを行って装飾的効果を発揮し得るようにすることもできる。
本実施の形態３に係る植物育成用容器１Ｂによれば、前記実施の形態１、２の植物育成用容器１、１Ａと同様な作用を発揮し得ることに加え、色彩豊な従来にない独創的で斬新な植物育成用容器１Ｂを提供することができる。
本考案の植物育成用容器によれば、もやし、二十日大根、ブロッコリーの種子の育成、肥後スミレ等の苗、アマリリス、チューリップの球根の育成等、広範な野菜類、鑑賞植物類、ハーブ、花類等の各種植物の成長を顕著に促進し、生命維持を長期間に亙って維持することができる。
【考案の効果】
請求項１記載の考案によれば、容器本体に混在又は含浸させたマイナスイオン発生物質からのマイナスイオン、遠赤外線放射物質からの遠赤外線、磁気発生物質からの磁気が混然一体として容器本体内に放射され、更に、多層積層物における医王石からのミネラル成分、球状物からのマイナスイオン、遠赤外線、磁気が各々植物の根、茎等に作用し、その結果、植物の育成、早期成長、成長促進、生命維持を効果的に図れる植物育成用容器を提供することができる。
請求項２記載の考案によれば、請求項１記載の考案の効果に加え、前記蓋体と容器本体を載せる底皿とを兼ねる皿状体とを備えているので、この植物育成用容器の保管時、実際の使用時の便宜を図れる植物育成用容器を提供することができる。
請求項３、４記載の考案によれば、請求項１、２記載の考案の効果に加え、容器本体の底部の水抜き用の穴を封止材により閉塞すると、この植物育成用容器を花の育成のための花瓶として機能させることができる植物育成用容器を提供できる。
請求項５記載の考案によれば、樹脂製の容器本体をもって、上述した請求項１乃至４の考案の効果を発揮できる植物育成用容器を提供することができる。
請求項６記載の考案によれば、上述した請求項１乃至５の考案の効果に加えて、色彩豊な従来にない独創的で斬新な植物育成用容器を提供することができる。
【図面の簡単な説明】
【図１】本考案の実施の形態１に係る植物育成容器の外観を示す正面図である。
【図２】本考案の実施の形態１に係る植物育成容器の概略断面図である。
【図３】本考案の実施の形態１に係る植物育成容器を鉢として使用する場合の正面図である。
【図４】本考案の実施の形態２に係る植物育成容器を花瓶として使用する場合の正面図である。
【図５】本考案の実施の形態２に係る植物育成容器を花瓶として使用する場合の概略断面図である。
【図６】本考案の実施の形態３に係る植物育成容器に貼り紙による装飾を施して使用する場合の外観を示す正面図である。
【符号の説明】
１　　植物育成用容器
１Ａ　植物育成用容器
１Ｂ　植物育成用容器
２　　容器本体
２ａ　開口
２ｂ　穴
３　　収容空間
４　　皿状体
５　　封止材
１０　　セラミックス粉末を
１１　　医王石
１２　　培養土
１３　　医王石
１４　　ラジエコー
１５　　球状物
１６　　イオンセラミック
１７　　培養土
１８　　多層積層物
２０　　もやし
３０　　花
４１ａ乃至４１ｄ　貼り紙
【図１】
0003097540.tif 000003
【図２】
0003097540.tif 000004
【図３】
0003097540.tif 000005
【図４】
0003097540.tif 000006
【図５】
0003097540.tif 000007
【図６】
0003097540.tif 000008